(57)【要約】【課題】折畳コンテナの寸法を任意に設定することができる折畳コンテナを提供する。【解決手段】上側壁１２の凸部１２ｄと、下側壁１３の凸部１３ｄとは、折り曲げ部１１を介して上下に連結されるとともに、第１側壁５が折り曲げられたときに重なり、上側壁１２の凹部１２ｃと、下側壁１３の凹部１３ｃとは、上下に配されて第１側壁５が折り曲げられたときに重なるように構成されている。一対の第１側壁５，５は、折り曲げられたときに、一方の第１側壁５の重なった上側壁１２の凹部１２ｃと下側壁１３の凹部１３ｃの中に、他方の第１側壁５の重なった上側壁１２の凸部１２ｄと下側壁１３の凸部１３ｄが配置可能に構成されるとともに、他方の第１側壁５の重なった上側壁１２の凹部１２ｃと下側壁１３の凹部１３ｃの中に、一方の第１側壁５の重なった上側壁１２の凸部１２ｄと下側壁１３の凸部１３ｄが配置可能に構成されている。【選択図】図５
0003170273.tif 000002
【実用新案登録請求の範囲】
【請求項１】
略直方体の筐体に組み立てられるとともに、前記筐体の側面を構成する４つの側壁のうち一方の対向する一対の側壁が、該側壁の高さ方向の略中央部に幅方向に沿って形成された折り曲げ部を介してそれぞれ折り曲げられて重畳可能な折畳コンテナであって、
前記一対の側壁には、前記折り曲げ部を対称軸として線対称な形状の開口部が前記折り曲げ部に沿ってそれぞれ複数形成され、
前記一対の側壁の前記開口部は、前記一対の側壁が前記折り曲げ部に沿ってそれぞれ折り曲げられると前記折り曲げ部側が開口した凹部となり、前記折り曲げ部に沿って隣り合う前記凹部間には凸部が形成され、前記一方の側壁の前記凹部に前記他方の側壁の前記凸部が配置されるとともに、前記一方の側壁の前記凸部が前記他方の側壁の前記凹部に配置されるような位置に形成されることを特徴とする折畳コンテナ。
【請求項２】
略直方体状の筐体に組み立てられて、上端部に配された上枠と、下端部に配された底板と、前記上枠と前記底板との間に配されて前記筐体の側面を構成する４つの側壁と、を備え、
該４つの側壁のうち一方の対向する一対の側壁は、高さ方向の略中央部に幅方向に沿って形成された折り曲げ部と、該折り曲げ部の上側に配され前記上枠に回動可能に支持された上側壁と、前記折り曲げ部の下側に配され前記底板に回動可能に支持された下側壁と、を有し、前記上側壁と前記下側壁とが前記折り曲げ部に沿って重なるように折り曲げ可能に構成された折畳コンテナにおいて、
前記上側壁の下端部および前記下側壁の上端部には、幅方向に複数の凹部および凸部がそれぞれ対向する位置に形成されていて、
前記上側壁および前記下側壁の前記凸部同士は、前記折り曲げ部を介して連結されるとともに、前記側壁が折り曲げられたときに互いに重なり、前記上側壁および前記下側壁の前記凹部同士は、前記側壁が折り曲げられたときに互いに重なり、
前記一対の側壁が折り曲げられたときに、前記一対の側壁のうち一方の前記側壁の重なった前記上側壁の前記凹部と前記下側壁の前記凹部の中に、他方の前記側壁の重なった前記上側壁の前記凸部と前記下側壁の前記凸部が配置可能に構成されるとともに、他方の前記側壁の重なった前記上側壁の前記凹部と前記下側壁の前記凹部の中に、一方の前記側壁の重なった前記上側壁の前記凸部と前記下側壁の前記凸部が配置可能に構成されることを特徴とする折畳コンテナ。
【請求項３】
前記一方の対向する一対の側壁は、ともに同じ形状であることを特徴とする請求項１または２に記載の折畳コンテナ。
【請求項４】
前記一方の対向する一対の側壁の高さ寸法は、前記４つの側壁のうち他方の対向する一対の側壁の幅寸法よりも大きいことを特徴とする請求項１乃至3のいずれか1項に記載の折畳コンテナ。
【請求項５】
前記４つの側壁のうち他方の対向する一対の側壁は、前記折畳コンテナの上端部および下端部の一方に回動自在に連結されるとともに、前記折畳コンテナの上端部および下端部の他方に着脱自在であることを特徴とする請求項1乃至4のいずれか1項に記載の折畳コンテナ。
【考案の詳細な説明】
【技術分野】
【０００１】
本考案は、折り畳み可能な折畳コンテナに関する。
【背景技術】
【０００２】
従来、使用時には直方体状の筐体に組み立てられて、運搬時や収納時にはコンパクトに折り畳むことができる折畳コンテナが使用されている。
図６に示すように、従来の折畳コンテナ２１は、組み立てられたときに上端部に配された上枠２２と、下端部に配された底板２３と、上枠２２と底板２３との間に配された４つの側壁２４とを備えている。これらの４つの側壁２４のうち、一方の対向する一対の側壁２５，２５（以下、一対の第１側壁２５，２５とする）は、その高さ方向の略中央部に幅方向に延びる折り曲げ部３１に沿って折り曲げ可能に構成されているとともに、他方の対向する一対の側壁２６，２６（以下、一対の第２側壁２６，２６とする）は、その上端部が上枠２２に回動可能に支持され、下端部が底板２３に着脱可能に構成されている。
【０００３】
そして、折畳コンテナ２１は、一対の第１側壁２５，２５がそれぞれ折り曲げ部３１で内側に折り曲げられるとともに、一対の第２側壁２６，２６がそれぞれ内側に回動して入り込むことで、第１側壁２５と第２側壁２６とが重なるとともに上枠２２と底板２６とが高さ方向に近接し、折り畳まれた状態となる（例えば、特許文献１および２参照）。
【先行技術文献】
【特許文献】
【０００４】
【特許文献１】登録実用新案第２５６９１４６号公報
【特許文献２】登録実用新案第３０２４１５６号公報
【考案の概要】
【考案が解決しようとする課題】
【０００５】
このような折畳コンテナ２１では、一対の第１側壁２５，２５は、内側に折り曲げられたときに互いに当接せず、第２側壁２６の幅寸法内に収容される。つまり、第１側壁２５の高さ寸法を、第２側壁２６の幅寸法以下とする必要がある。
これにより、第２側壁２６の幅寸法が決定されると、第１側壁２５の高さ寸法の上限が決められてしまい、折畳コンテナ２１の高さ寸法を大きくすることができない。
【０００６】
本考案は、上述する問題点に鑑みてなされたもので、高さ寸法を大きくすることができる折畳コンテナを提供することを目的とする。
【課題を解決するための手段】
【０００７】
上記目的を達成するため、本考案に係る折畳コンテナは、略直方体の筐体に組み立てられるとともに、前記筐体の側面を構成する４つの側壁のうち一方の対向する一対の側壁が、該側壁の高さ方向の略中央部に幅方向に沿って形成された折り曲げ部を介してそれぞれ折り曲げられて重畳可能な折畳コンテナであって、前記一対の側壁には、前記折り曲げ部を対称軸として線対称な形状の開口部が前記折り曲げ部に沿ってそれぞれ複数形成され、前記一対の側壁の前記開口部は、前記一対の側壁が前記折り曲げ部に沿ってそれぞれ折り曲げられると前記折り曲げ部側が開口した凹部となり、前記折り曲げ部に沿って隣り合う前記凹部間には凸部が形成され、前記一方の側壁の前記凹部に前記他方の側壁の前記凸部が配置されるとともに、前記一方の側壁の前記凸部が前記他方の側壁の前記凹部に配置されるような位置に形成されることを特徴とする。
【０００８】
本考案では、一対の側壁が折り曲げられたときに、一方の側壁の凹部に他方の側壁の凸部が配置され、一方の側壁の凸部が他方の側壁の凹部に配置され、一対の側壁が互いに当接することがないため、一対の側壁の高さに制限がなく、折畳コンテナの高さを高くすることができる。
本考案の一実施形態として、一方の側壁に形成された開口部間の部位と他方の側壁に形成された開口部間の部位とが、向かい合ったときに互いに重ならない位置に開口部が形成されている。
【０００９】
また、本考案に係る折畳コンテナは、略直方体状の筐体に組み立てられて、上端部に配された上枠と、下端部に配された底板と、前記上枠と前記底板との間に配されて前記筐体の側面を構成する４つの側壁と、を備え、該４つの側壁のうち一方の対向する一対の側壁は、高さ方向の略中央部に幅方向に沿って形成された折り曲げ部と、該折り曲げ部の上側に配され前記上枠に回動可能に支持された上側壁と、前記折り曲げ部の下側に配され前記底板に回動可能に支持された下側壁と、を有し、前記上側壁と前記下側壁とが前記折り曲げ部に沿って重なるように折り曲げ可能に構成された折畳コンテナにおいて、前記上側壁の下端部および前記下側壁の上端部には、幅方向に複数の凹部および凸部がそれぞれ対向する位置に形成されていて、前記上側壁および前記下側壁の前記凸部同士は、前記折り曲げ部を介して連結されるとともに、前記側壁が折り曲げられたときに互いに重なり、前記上側壁および前記下側壁の前記凹部同士は、前記側壁が折り曲げられたときに互いに重なり、前記一対の側壁が折り曲げられたときに、前記一対の側壁のうち一方の前記側壁の重なった前記上側壁の前記凹部と前記下側壁の前記凹部の中に、他方の前記側壁の重なった前記上側壁の前記凸部と前記下側壁の前記凸部が配置可能に構成されるとともに、他方の前記側壁の重なった前記上側壁の前記凹部と前記下側壁の前記凹部の中に、一方の前記側壁の重なった前記上側壁の前記凸部と前記下側壁の前記凸部が配置可能に構成されることを特徴とする。
【００１０】
本考案では、一対の側壁が折り曲げられたときに、一対の側壁のうち一方の側壁の重なった上側壁の凹部と下側壁の凹部の中に、他方の側壁の重なった上側壁の凸部と下側壁の凸部が配置され、他方の側壁の重なった上側壁の凹部と下側壁の凹部の中に、一方の側壁の重なった上側壁の凸部と下側壁の凸部が配置され、一対の側壁が互いに当接することがないため、一対の側壁の高さに制限がなく、折畳コンテナの高さを高くすることができる。
【００１１】
また、本考案に係る折畳コンテナでは、前記一方の対向する一対の側壁は、ともに同じ形状であることが好ましい。
このようにすることにより、一対の側壁を同じ金型で成形することができるため、製造工程を簡略化することができるとともに、金型の費用を抑えることができる。
【００１２】
また、本考案に係る折畳コンテナでは、前記一方の対向する一対の側壁の高さ寸法は、前記４つの側壁のうち他方の対向する一対の側壁の幅寸法よりも大きいことが好ましい。
このようにすることにより、高さ（深さ）のある折畳コンテナを製造することができる。
【００１３】
また、本考案に係る折畳コンテナでは、前記４つの側壁のうち他方の対向する一対の側壁は、前記折畳コンテナの上端部および下端部の一方に回動自在に連結されるとともに、前記折畳コンテナの上端部および下端部の他方に着脱自在であることが好ましい。
このように構成されていることにより、折畳コンテナを折り畳むときに、他方の対向する一対の側壁と、それぞれ折り曲げられた一方の対向する一対の側壁とを容易に重畳させることができるとともに、折り畳まれたときの折畳コンテナをコンパクトにすることができる。
【考案の効果】
【００１４】
本考案によれば、一対の側壁が折り曲げられたときに、一方の側壁の凹部に他方の側壁の凸部が配置され、一方の側壁の凸部が他方の側壁の凹部に配置され、一対の側壁が互いに当接することがないため、一対の側壁の高さに制限がなく、折畳コンテナの高さを高くすることができる。
【図面の簡単な説明】
【００１５】
【図１】本考案の実施形態による折畳コンテナの一例を示す斜視図である。
【図２】図１のＡ方向矢視図である。
【図３】図１のＢ方向矢視図である。
【図４】（ａ）は第１側壁が折り曲げられる過程を示す図、（ｂ）は折り曲げられた第１側壁を示す図である。
【図５】折り曲げられた第１側壁を示す上面図である。
【図６】従来の折畳コンテナの一例を示す斜視図である。
【図７】図６のＣ方向矢視図である。
【図８】従来の折畳コンテナの折り曲げられた第１側壁を示す上面図である。
【考案を実施するための形態】
【００１６】
以下、本考案の実施形態による折畳コンテナについて、図１乃至図５に基づいて説明する。
図１に示すように、本実施形態による折畳コンテナ１は、上面が開口した略直方体状の筐体に形成され、上枠２と、底板３と、上枠２と底板３との間に設けられた４つの側壁４と、を備えている。
【００１７】
上枠２は、内部が開口した平面視略長方形の枠状に形成されている。この略長方形は、一方の一対の対向する辺が他方の一対の対向する辺よりも長い形状となっている。
底板３は、外形が上枠２と同形の平面視略長方形の板状に形成されている。
ここで、４つの側壁４のうち、上枠２および底板３の略長方形の長辺間に設けられた一方の対向する一対の側壁４，４を第１側壁５，５とし、短辺間に設けられた他方の対向する一対の側壁４，４を第２側壁６，６として以下説明する。
【００１８】
図１乃至図３に示すように、第１側壁５は、高さ方向の中央部に幅方向全長にわたって延びる折り曲げ部１１に沿って折り曲げ可能に構成され、折り曲げ部１１の上方に配された上側壁１２と、折り曲げ部１１の下側に配された下側壁１３とを備えている。
そして、図４（ａ）および（ｂ）に示すように、第１側壁５は、折り曲げ部１１に沿って折り曲げられたときには、上側壁１２と下側壁１３とが重なり、図１乃至図３に示すように折り曲げられていないときには、上側壁１２と下側壁１３とが同一鉛直面において上下方向に配列されるように構成されている。
なお、第１側壁５が折り曲げ部１１に沿って折り曲げられたときには、上側壁１２の下端部１２ｂと下側壁１３の上端部１３ａとが上下方向に重なり、上側壁１２の上端部１２ａと下側壁１３の下端部１３ｂとが上下方向に重なるように、上側壁１２と下側壁１３とは、同じ高さ寸法ｈ１（図２参照）に形成されている。
【００１９】
上側壁１２の下端部１２ｂおよび下側壁１３の上端部１３ａには、幅方向に所定の間隔をあけて複数の矩形状の切欠き部１２ｃ，１３ｃがそれぞれ対向する位置に形成されている。そして、これらの上側壁１２の切欠き部１２ｃと下側壁１３の切欠き部１３ｃとが合わさって第１側壁５に開口部を形成している。
ここで、これらの切欠き部１２ｃ，１３ｃを凹部１２ｃ，１３ｃとし、切欠かれていない部分を凸部１２ｄ，１３ｄとして以下説明する。
【００２０】
上側壁１２の凹部１２ｃと下側壁１３の凹部１３ｃとは、幅および深さが同じ寸法に形成され、上側壁１２および下側壁１３が取り付けられた状態で幅方向において同じ位置となるように構成されている。これに伴い、上側壁１２の凸部１２ｄと下側壁１３の凸部１３ｄとは、幅および高さが同じ寸法に形成され、幅方向において同じ位置となるように構成されている。
また、凹部１２ｃ，１３ｃの幅は、凸部１２ｄ，１３ｄの幅と略同一寸法に形成されている。なお、凹部１２ｃ，１３ｃの深さは、凸部１２ｄ，１３ｄの高さと同一の箇所を指している。
【００２１】
そして、上側壁１２の凸部１２ｄの先端部と、下側壁１３の凸部１３ｄの先端部とが、第１ヒンジ１４を介して連結されている。この第１ヒンジ１４は、折り曲げ部１１に配されていて、上側壁１２と下側壁１３とを互いに回動可能に支持している。
【００２２】
また、上側壁１２は、上端部１２ａが上枠２に第２ヒンジ１５（図２参照）を介して回動可能に取り付けられていて、下側壁１３は、下端部１３ｂが底板３に第３ヒンジ１６を介して回動可能に取り付けられている。
【００２３】
図２および図３に示すように、第２側壁６は、上端部６ａが上枠２に第４ヒンジ１７を介して回動可能取り付けられているとともに、下端部６ｂが底板３に着脱可能に構成されている。
そして、第２側壁６は、下端部６ｂが底板３に係止（固定）されると、上枠２と底板３との間に立設し、下端部６ｂが底板３から外れると、折畳コンテナ１の内側に回動して側面視で上枠２と重なる（図３の一点鎖線で示す状態）位置に配されるように構成されている。
【００２４】
これにより、図４（ａ）に示すように、一対の第２側壁６，６がそれぞれ内側に折畳コンテナ１の内側に回動して上枠２と重なり、一対の第１側壁５，５が、折り曲げ部１１に沿って折り曲げられると、図４（ｂ）に示すように、上側壁１２と下側壁１３とが重なり、上側壁１２の上端部１２ａと下側壁１３の下端部１３ｂとが接近して上枠２と底板３とが接近し、折畳コンテナ１が折り畳まれた状態となる。
【００２５】
このとき、図５に示すように、一対の第１側壁５，５は、同じ形状に形成されていて、折り曲げ部１１で折り曲げられたときに、一方の第１側壁５の重なった上側壁１２および下側壁１３の凹部１２ｃ，１３ｃに、他方の第１側壁５の重なった上側壁１２および下側壁１３の凸部１２ｄ，１３ｄが配置され、他方の第１側壁５の重なった上側壁１２および下側壁１３の凹部１２ｃ，１３ｃに、一方の第１側壁５の重なった上側壁１２および下側壁１３の凸部１２ｄ，１３ｄが配置されるように構成されている。
【００２６】
次に、折畳コンテナ１の寸法について説明する。
本実施形態の折畳コンテナ１において、第１側壁５の高さ寸法をＨ１、上側壁１２および下側壁１３の高さ寸法をｈ１、第２側壁６の幅寸法をＷ、凹部１２ｃ，１３ｃの深さ寸法（凸部１２ｄ，１３ｄの高さ寸法）をｈ２とすると、第１側壁５の高さ寸法Ｈ１は、上側壁１２の高さ寸法と下側壁１３の高さ寸法との和（ｈ１＋ｈ１）で示される（図２参照）。
【００２７】
また、第２側壁６の幅寸法Ｗの必要最低寸法は、上側壁１２の高さと下側壁１３の高さ寸法の和から凹部１２ｃ，１３ｃの深さ寸法を引いた寸法（ｈ１＋ｈ１−ｈ２）となる（図５参照）。
これより、第１側壁５の高さ寸法Ｈ１（ｈ１＋ｈ１）は、第２側壁６の幅寸法Ｗが上記必要最低寸法の場合であっても、該幅寸法Ｗに凹部１２ｃ，１３ｃの深さ寸法ｈ２を加えた寸法（Ｗ＋ｈ２）とすることができる。つまり、第１側壁５の高さ寸法と第２側壁の高さ寸法は略同一寸法であるため、第２側壁６は幅寸法よりも高さ寸法を大きく設定することが可能となる。
なお、第１ヒンジ１４や、凹部１２ｃ，１３ｃとこの凹部１２ｃ，１３ｃ内に配された凸部１２ｄ，１３ｄとの隙間については、凹部１２ｃ，１３ｃの深さ寸法ｈ２よりも小さいものとし、考慮しないものとする。
これにより、第１側壁５の高さ寸法Ｈ１は、第２側壁６の幅寸法Ｗと凹部１２ｃ，１３ｃの深さ寸法ｈ２との和（Ｗ＋ｈ２）まで高くすることができる。
【００２８】
これに対し、図６乃至図８に示すような、第１側壁２５の上側壁３２および下側壁３３に凹部・凸部が形成されていない従来の折り畳み可能な折畳コンテナ２１では、第１側壁の高さ寸法Ｈ２（上側壁３２の高さ寸法ｈ３＋下側壁３２の高さ寸法ｈ３）は、最大で第２側壁の幅寸法Ｗとなる。
これにより、第１側壁の高さ寸法Ｈ２は、第２側壁６の幅寸法Ｗと同じ寸法までしか設定することができない。
このことから、本実施形態による折畳コンテナ１では、従来の折畳コンテナ２１よりも第１側壁５の高さ寸法Ｈ１を高くすることができるため、折畳コンテナ１全体の高さを高くすることができる。
【００２９】
次に、上述した折畳コンテナ１の効果について説明する。
本実施形態による折畳コンテナ１によれば、一対の第１側壁５，５が折り曲げられたときに、一対の第１側壁５，５のうち一方の第１側壁５の重なった上側壁１２の凹部１２ｃと下側壁１３の凹部１３ｃの中に、他方の第１側壁５の重なった上側壁１２の凸部１２ｄと下側壁１３の凸部１３ｄが配置され、他方の第１側壁５の重なった上側壁１２の凹部１２ｃと下側壁１３の凹部１３ｃの中に、一方の第１側壁５の重なった上側壁１２の凸部１２ｄと下側壁１３の凸部１３ｄが配置されるため、第１側壁５の高さ寸法Ｈ１が第２側壁６の幅寸法Ｗよりも大きい場合でも、一対の第１側壁５，５を、互いに当接させることなく、第２側壁の幅寸法Ｗ内に収容することができる。
そして、折畳コンテナ１の第１側壁５の高さ寸法Ｈ１を、第２側壁６の幅寸法Ｗよりも大きくすることができるため、折畳コンテナ１の寸法を任意に設定することができ、所望の高さ寸法および幅寸法の折畳コンテナ１を製造することができる。
【００３０】
以上、本考案による折畳コンテナの実施形態について説明したが、本考案は上記の実施形態に限定されるものではなく、その趣旨を逸脱しない範囲で適宜変更可能である。
例えば、上述した本実施形態では、折畳コンテナ１は、上面が開口した略直方体状の筐体に形成されているが、上面に蓋を備える形態としてもよい。
また、上述した実施形態では、第２側壁６は、上端部６ａが上枠２に第４ヒンジ１７を介して回動可能取り付けられているとともに、下端部６ｂが底板３に着脱可能に構成されているが、例えば、上端部６ａが上枠２に着脱可能に構成され、下端部６ｂが底板３に回動可能に取り付けられているなど、他の形態としてもよい。
また、上述した実施形態では、第１側壁５は、複数形成された凹部１２ｃ，１３ｃおよび凸部１２ｄ，１３ｄが同じ形状であるが、一対の第１側壁５，５が折り曲げられたときに、一方の凹部１２ｃ，１３ｃ内に他方の凸部１２ｄ，１３ｄが配され、他方の凹部１２ｃ，１３ｃに一方の凸部１２ｄ，１３ｄが配され、一対の第１側壁５，５の凹部１２ｃ，１３ｃと凸部１２ｄ，１３ｄとが嵌合するように構成されていれば、複数の凹部１２ｃ，１３ｃおよび凸部１２ｄ，１３ｄが同じ形状でなくてもよい。
なお、上述した実施形態のように、複数の凹部１２ｃ，１３ｃおよび凸部１２ｄ，１３ｄを同じ形状とすることで、一対の第１側壁５，５を同じ形状とすればよいため、同じ金型を使用して成形することができ、製造工程を簡便にすることができる。
【符号の説明】
【００３１】
１  折畳コンテナ
２  上枠
３  底板
４  側壁
５  第１側壁
６  第２側壁
６ａ  上端部
６ｂ  下端部
１１  折り曲げ部
１２  上側壁
１２ａ  上端部
１２ｂ  下端部
１２ｃ  凹部
１２ｄ  凸部
１３  下側壁
１３ａ  上端部
１３ｂ  下端部
１３ｃ  凹部
１３ｄ  凸部  
【図１】
0003170273.tif 000003
【図２】
0003170273.tif 000004
【図３】
0003170273.tif 000005
【図４】
0003170273.tif 000006
【図５】
0003170273.tif 000007
【図６】
0003170273.tif 000008
【図７】
0003170273.tif 000009
【図８】
0003170273.tif 000010